(57)【要約】【課題】外部装置から受信した宛先情報の設定を適切に制限することを目的とする。【解決手段】画像データの送信宛先として用いるための宛先情報を記憶する記憶手段と、外部装置から送信された、画像データの送信に係る設定情報を受信する受信手段と、記憶手段に記憶された宛先情報以外の宛先情報を画像データの送信宛先として指定することを制限する宛先制限がオンに設定されている場合に、外部装置から送信された設定情報のうち、宛先情報の設定を行わないよう制御する設定手段とを有する。【選択図】図２
2018061156.tif 000002
【特許請求の範囲】
【請求項１】
画像データの送信宛先として用いるための宛先情報を記憶する記憶手段と、
外部装置から送信された、画像データの送信に係る設定情報を受信する受信手段と、
前記記憶手段に記憶された宛先情報以外の宛先情報を画像データの送信宛先として指定することを制限する宛先制限がオンに設定されている場合に、前記外部装置から送信された前記設定情報のうち、宛先情報の設定を行わないよう制御する設定手段と
を有することを特徴とする画像送信装置。
【請求項２】
前記設定手段は、前記宛先制限がオフに設定されている場合に、前記宛先情報の設定を行うよう制御することを特徴とする請求項１に記載の画像送信装置。
【請求項３】
前記設定手段は、前記宛先制限がオンに設定されている場合に、前記設定情報のうち前記宛先情報以外の情報の設定を行うように制御することを特徴とする請求項１又は２に記載の画像送信装置。
【請求項４】
前記宛先制限がオンに設定された場合に、宛先情報の設定が制限される旨の画面を表示手段に表示させる表示処理手段をさらに有することを特徴とする請求項１乃至３の何れか１項に記載の画像送信装置。
【請求項５】
前記設定手段は、前記宛先情報が既に前記記憶手段に記憶されている宛先情報と同じ場合に、前記宛先情報の設定を行うように制御することを特徴とする請求項１乃至４の何れか１項に記載の画像送信装置。
【請求項６】
画像データの送信宛先として用いるための宛先情報を記憶する記憶手段を有する画像送信装置が実行する制御方法であって、
外部装置から送信された、画像の送信に係る設定情報を受信する受信ステップと、
前記記憶手段に記憶された宛先情報以外の宛先情報を画像データの送信宛先として指定することを制限する宛先制限がオンに設定されている場合に、前記外部装置から送信された前記設定情報のうち、宛先情報の設定を行わないよう制御する設定ステップと
を含むことを特徴とする制御方法。
【請求項７】
画像データの送信宛先として用いるための宛先情報を記憶する記憶手段を有する画像送信装置に実行させるためのプログラムであって、
外部装置から送信された、画像の送信に係る設定情報を受信する受信ステップと、
前記記憶手段に記憶された宛先情報以外の宛先情報を画像データの送信宛先として指定することを制限する宛先制限がオンに設定されている場合に、前記外部装置から送信された前記設定情報のうち、宛先情報の設定を行わないよう制御する設定ステップと
を含むことを特徴とするプログラム。
【発明の詳細な説明】
【技術分野】
【０００１】
本発明は、端末装置から送信された設定情報に基づいて画像データの送信に関する設定を行う画像送信装置、制御方法及びプログラムに関する。
【背景技術】
【０００２】
従来の情報処理装置には、携帯端末装置に保有されている宛先情報を受信し、情報処理装置の表示手段に表示するように施したものがある。情報処理装置において、表示された携帯端末装置の宛先情報は、送信宛先として指定される（特許文献１参照）。また、ＭＦＰ（Ｍｕｌｔｉ  Ｆｕｎｃｔｉｏｎ  Ｐｅｒｉｐｈｅｒａｌ）においては、「宛先制限」を設定することが知られている。「宛先制限」とは、自装置に予め登録されているアドレス帳からの宛先指定のみ許可し、例えばユーザが宛先を直接入力すること等によってアドレス帳に登録された宛先以外の宛先を指定することを禁止する設定である。
【先行技術文献】
【特許文献】
【０００３】
【特許文献１】特開２０１６−２１１６４号公報
【発明の概要】
【発明が解決しようとする課題】
【０００４】
携帯端末装置から指定される宛先はＭＦＰのアドレス帳に登録されている宛先とは異なる可能性がある。しかし、従来は携帯端末装置からの宛先指定は「宛先制限」によって制限されていなかった。
【０００５】
本発明はこのような問題点に鑑みてなされたもので、外部装置から受信した宛先情報の設定を適切に制限することを目的とする。
【課題を解決するための手段】
【０００６】
そこで、本発明は、画像送信装置であって、画像データの送信宛先として用いるための宛先情報を記憶する記憶手段と、外部装置から送信された、画像データの送信に係る設定情報を受信する受信手段と、前記記憶手段に記憶された宛先情報以外の宛先情報を画像データの送信宛先として指定することを制限する宛先制限がオンに設定されている場合に、前記外部装置から送信された前記設定情報のうち、宛先情報の設定を行わないよう制御する設定手段とを有することを特徴とする。
【発明の効果】
【０００７】
本発明によれば、外部装置から受信した宛先情報の設定を適切に制限することができる。
【図面の簡単な説明】
【０００８】
【図１】第１の実施形態に係る画像処理システムの全体図である。
【図２】ＭＦＰのハードウェア構成を示す図である。
【図３】操作部を示す外観図である。
【図４】画面遷移の一例を示す図である。
【図５】受付可能画面の一例を示す図である。
【図６】設定制御処理を示すフローチャートである。
【図７】宛先判定処理を示すフローチャートである。
【図８】設定変更処理を示すフローチャートである。
【図９】警告画面の一例を示す図である。
【図１０】第２の実施形態に係る宛先判定処理を示すフローチャートである。
【発明を実施するための形態】
【０００９】
以下、本発明の実施形態について図面に基づいて説明する。
【００１０】
（第１の実施形態）
図１は、第１の実施形態に係る画像処理システム１００の全体図である。ネットワーク１０８上に、ＭＦＰ（Ｍｕｌｔｉｆｕｎｃｔｉｏｎ  Ｐｅｒｉｐｈｅｒａｌ）１０１と、メールサーバ装置１０３、アクセスポイント１０５が通信可能に接続されている。また、公衆回線網１０９上には、ＭＦＰ１０１とＦＡＸ１０４がお互いに通信可能に接続されている。さらに、携帯端末装置１０２は、アクセスポイント１０５と無線通信１０６で接続し、ネットワーク１０８を経由してメールサーバ装置１０３、ＭＦＰ１０１とお互いに通信可能に接続されている。なお、ＭＦＰ１０１は、無線機能も備え、直接、無線１０７で携帯端末装置１０２やアクセスポイント１０５と接続することもできる。
【００１１】
ＭＦＰ１０１は、スキャンした原稿の画像データを電子メールの添付ファイルとして送信する為、送信先のメールアドレスを送信宛先に指定して、メールサーバ装置１０３に電子メールを送信する。ＭＦＰ１０１は、画像送信装置の一例である。メールサーバ装置１０３は、受信した電子メールをストレージ（不図示）に設けたメールボックスに格納したり、さらに外のメールサーバに転送したりする。ユーザは後述するＭＦＰ１０１の操作部１１６を操作して、ＭＦＰ１０１が画像データを送信するために必要な設定情報（例えば、送信宛先、電子メールの件名、電子メールの本文、送信する画像データのファイル名の少なくともいずれかを含む）を入力する。また、ユーザはＭＦＰ１０１の外部装置である携帯端末装置１０２を操作してこれら設定情報を入力することもできる。携帯端末装置１０２は設定情報をＭＦＰ１０１へ送信する。ＭＦＰ１０１は携帯端末装置１０２から送信された設定情報を受信して画像データの送信のための設定として用いる。
【００１２】
図２は、ＭＦＰ１０１のハードウェア構成を示す図である。ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取制御や印刷制御等の各種制御を行う。ＲＯＭ１１２は、ＣＰＵ１１１が実行可能な制御プログラムを格納する。また、ＲＯＭ１１２は、ブートプログラムやフォントデータ等も格納する。ＲＡＭ１１３は、ＣＰＵ１１１のメインメモリであり、ワークエリア、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４としてフラッシュメモリを想定しているが、補助記憶装置を用いるようにしてもよい。補助記憶装置としては、ＳＳＤ（Ｓｏｌｉｄ  Ｓｔａｔｅ  Ｄｒｉｖｅ）やＨＤＤ（Ｈａｒｄ  Ｄｉｓｋ  Ｄｒｉｖｅ）、ｅＭＭＣ（ｅｍｂｅｄｄｅｄ  Ｍｕｌｔｉ  Ｍｅｄｉａ  Ｃａｒｄ）等が挙げられる。後述するＭＦＰ１０１の機能や処理は、ＣＰＵ１１１がＲＯＭ１１２又はストレージ１１４に格納されているプログラムを読み出し、このプログラムを実行することにより実現されるものである。
【００１３】
なお、本実施形態のＭＦＰ１０１は、１つのＣＰＵ１１１が１つのメモリ（ＲＡＭ１１３）を用いて後述するフローチャートに示す各処理を実行するものとするが、他の様態であっても構わない。例えば、ＭＦＰ１０１は、ＣＰＵ、ＲＡＭ、ＲＯＭ、及びストレージを複数有し、これらを協働させて後述するフローチャートに示す各処理を実行することもできる。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行するようにしてもよい。
【００１４】
操作部Ｉ／Ｆ１１５は、操作部１１６と制御部１１０を接続する。操作部１１６は、ユーザに対して情報を表示したり、ユーザからの操作入力を受け付ける。読取部Ｉ／Ｆ１１７は、読取部１１８と制御部１１０を接続する。読取部１１８は、原稿上の画像を読み取って、その画像をバイナリーデータ等の画像データに変換する。読取部１１８によって生成された画像データは、外部装置に送信されたり、記録紙上に印刷されたりする。
【００１５】
印刷部Ｉ／Ｆ１１９は、印刷部１２０と制御部１１０を接続する。ＣＰＵ１１１は、ＲＡＭ１１３に記憶された画像データ（印刷対象の画像データ）を印刷部Ｉ／Ｆ１１９を介して印刷部１２０に転送する。印刷部１２０は、転送された画像データを給紙カセットから給送された記録紙上に印刷する。
【００１６】
無線通信部Ｉ／Ｆ１２１は、無線通信部１２２を制御する為のＩ／Ｆで制御部１１０と無線１０７経由で外部の無線機器（ここでは携帯端末装置１０２）と接続する。制御部１１０は、ＦＡＸ部Ｉ／Ｆ１２３によりＦＡＸ通信部１２４を制御することで公衆回線網１０９に接続される。ＦＡＸ部Ｉ／Ｆ１２３は、ＦＡＸ通信部１２４を制御する為のＩ／Ｆで、ファクシミリ通信用のモデム、ＮＣＵを制御することで公衆回線網１０９への接続、ファクシミリ通信プロトコルの制御などを行うことが可能となる。
【００１７】
通信部Ｉ／Ｆ１２３は、制御部１１０とネットワーク１０８を接続する。通信部Ｉ／Ｆ１２３は、ネットワーク１０８上の外部装置に画像データや装置内部の各種情報を送信したり、ネットワーク１０８上の情報処理装置から印刷データや各種情報を受信したりする。ネットワーク１０８を介した送受信の方法としては、前述した電子メールを用いての送受信や、その他のプロトコル（例えば、ＦＴＰやＳＭＢ、ＷＥＢＤＡＶ等）を用いたファイル送信を行うことができる。さらに、ＷＥＢサーバ機能を備え、携帯端末装置１０２からのＨＴＴＰプロトコルによるアクセスで、送信・受信ジョブ履歴や各種設定情報をネットワーク１０８に接続されるＰＣ（不図示）上で表示させる事もできる。
【００１８】
図３は、操作部１１６を示す外観図である。操作部１１６は、操作画面を表示するタッチパネル３００を有している。タッチパネル３００は、ユーザからの指示（タッチ、ドラッグ、フリックなど）を受け付ける受付手段としても機能する。ユーザは、タッチパネル３００上に表示される画面の各画像（タッチ画像）を指やスタイラス等のオブジェクトで直接タッチし、表示された画像に基づく各機能の実行を指示する。ここでタッチ画像とは、画像を表示した区切られた領域をタッチする事で、表示エリアに関連付けられたコントローラ制御を実行する為の画像である。図３に示すタッチパネル３００にはホーム画面が表示されている。ホーム画面の上部にはホーム画面を示すタイトル３０１が表示されている。ホーム画面は、コピー、ＦＡＸ送信３０２、スキャンして送信３０３、などＭＦＰ１０１が実行する各機能を選択するための画面である。なお、操作部１１６は、タッチパネル３００の他に、ハードウェアキーを備えていてもよい。
【００１９】
ＦＡＸ送信３０２は、ＭＦＰ１０１のファクシミリ送信画面（不図示）を表示するキーである。ＭＦＰ１０１は、ファクシミリ送信画面より、電話番号またはアドレス帳などから宛先を指定して相手先に読取部１１８で読み込んだ画像データをファクシミリ送信（ファクス）する。スキャンして送信３０３は、ＭＦＰ１０１からスキャン選択画面（不図示）を表示する為のタッチ画像である。スキャン選択画面は、電子メール送信、ＳＭＢ、ＦＴＰによるファイル送信、インターネットファクス（Ｉファクス）送信などの送信手段の選択表示を行う。さらに、表示された選択表示にタッチする事で各送信設定画面を表示する。
【００２０】
図４は、携帯端末装置１０２から設定情報としてとして電子メールの送信宛先のデータを受信したときタッチパネル３００に表示される画面表示に関する画面遷移の一例を示す図である。４０１は、ホーム画面を示している。ホーム画面４０１は、後で述べる携帯端末装置１０２からの設定情報を受信することが可能な画面である。ＣＰＵ１１１は、ホーム画面４０１にて、携帯端末装置１０２から設定情報を受信し、設定情報の内容が正常であると判定すると、ポップアップ画面であるポップアップ４０２を表示する。ポップアップとは、ホーム画面４０１に上書きした画面で、元画面の操作はガードされる。ここでは、ホーム画面４０１の状況確認や各種機能への操作ができなくなる。
【００２１】
ポップアップ４０２は、携帯端末装置１０２より無線１０６またはネットワーク１０８経由で電子メールの宛先や送信設定などの設定情報を受信した事をユーザに知らせるための表示である。尚、ポップアップ４０２は、携帯端末装置１０２より受信した設定情報の内容（電子メールアドレス、ファイル名、本文、件名など）を表示する。また、ポップアップ４０２に設定情報の詳細を確認する為の確認ボタンを表示し、確認ボタン押下後、携帯端末装置１０２より受信した設定情報の内容を詳細表示画面にて表示するようにしてもよい。設定情報の内容は、電子メールの宛先である電子メールアドレス、電子メールの件名、本文、添付される画像ファイルのファイル名など、電子メール送信時に指定される各種設定情報である。電子メールアドレスは、携帯端末装置１０２上のアプリケーションにより、携帯端末装置１０２のアドレス帳または直接入力で設定される。ポップアップ４０２は、ポップアップ表示を閉じるためのボタンとして、ＯＫボタン４０３を表示する。ＯＫボタン４０３が押下されると、続くスキャンして送信画面４０４に遷移し、受信した設定情報をセットする。
【００２２】
スキャンして送信画面４０４は、電子メールを送信する為の設定画面である。図４の例では、電子メールの宛先を１件受信した例として宛先数４０５の宛先件数に１を表示している。複数宛先を受信した場合、宛先数４０５の件数は、受信した宛先数が表示される。詳細情報４０６を押下すると、電子メール宛先確認画面４０７を表示する。尚、スキャンして送信画面４０４にて、図示しないリセットを押下した場合、設定された情報をクリアする。このとき、受信した宛先情報はクリアされ、送信した携帯端末装置１０２との通信もリセットされる。また、スキャンして送信画面４０４にて、図示しないスタートキーを押下した場合、電子メール送信を開始する。このときも、受信した宛先情報はクリアされ、送信した携帯端末装置１０２との通信もリセットされる。
【００２３】
ここで、ＭＦＰ１０１と携帯端末装置１０２の通信のリセット方法について説明する。ＭＦＰ１０１は、携帯端末装置１０２との通信をＨＴＴＰプロトコルで行い、ＨＴＴＰプロトコルのセッションＩＤで接続状態を管理する。セッションＩＤは、ＨＴＴＰの通信プロトコルにて携帯端末装置１０２に送信されるＩＤである。ＭＦＰ１０１は、ログインした携帯端末装置１０２に対してセッションＩＤを生成して送信し、さらにセッションＩＤをＲＡＭ１１３に保存する。
【００２４】
携帯端末装置１０２は、ログイン時に受信したセッションＩＤを用いてＭＦＰ１０１に接続する。ＭＦＰ１０１は、ログイン時と同じ携帯端末装置１０２である事を受信したセッションＩＤと保存されているセッションＩＤで判断する。ＭＦＰ１０１は、セッションＩＤが等しければ、同じ携帯端末装置１０２であり、異なっていれば、異なる携帯端末装置１０２で有ると判断する。携帯端末装置１０２との通信のリセットとは、ＲＡＭ１１３に保存されているセッションＩＤを消去し、通信中の携帯端末装置１０２は無いという状態に遷移する事である。この状態に遷移すると、新規のログイン要求を受付可能になる。
【００２５】
電子メール宛先確認画面４０７は、スキャンして送信画面４０４の詳細情報４０６を押下したときに表示される画面である。宛先情報４０８は、携帯端末装置１０２から受信した設定情報である。
【００２６】
図５は、携帯端末装置１０２からの設定情報の受信を受け付ける受付可能画面の一例を示す図である。本実施形態においては、ホーム画面（ホーム５０１）、電子メール送信画面（スキャンして送信５０２）、モバイルポータル画面（モバイルポータル５０３、５０５）が、受付可能画面として設定されている。携帯端末装置１０２から設定情報を受信できる画面を限定する事で、それ以外の画面を操作しているユーザにとって、設定情報の受信により表示されるポップアップ表示による操作の中断を防止する。
【００２７】
ホーム５０１は、ＭＦＰ１０１のデフォルト待機画面である。スキャンして送信５０２は、電子メール送信を行うときに表示される画面で、携帯端末装置１０２から受信した設定情報は、ポップアップ表示後、ＯＫボタン４０３の押下で、電子メール送信設定に設定される。尚、設定情報の受信時、ＭＦＰ１０１は、電子メールアドレスを受信した場合、電子メール送信宛先を追加で設定し、件名、本文、ファイル名などの設定情報を受信した場合、上書きで設定する。
【００２８】
モバイルポータル５０３、５０６は、携帯端末装置１０２とＭＦＰ１０１を接続する為の設定画面を表示する。モバイルポータル５０３では、表示されているＳＳＩＤ、キーを携帯端末装置１０２側に設定する事で、ダイレクト接続での無線通信が開始される。表示されているＳＳＩＤとキーは、無線通信部１２２がアクセスポイントモードとして動作している場合に携帯端末装置１０２が無線通信部１２２との無線接続を確立するために用いられる。ＱＲコード（登録商標）５０５は、無線接続設定をＱＲコードで表示したものであり、携帯端末装置１０２はＱＲコードを撮影する事で無線通信の開始を実行可能にする。モバイルポータル５０６では、表示されているＱＲコード５０７を携帯端末装置１０２で撮影する事で、無線通信部１２２のＳＳＩＤとキーを取得できる。
【００２９】
通信開始後、電子メールアドレスや電子メールの件名、本文などの設定情報の送信操作が携帯端末装置１０２で行われたとする。この場合、ＭＦＰ１０１は、図４に示したポップアップ４０２を表示し、ＯＫボタン４０３押下後、受信した設定情報をスキャンして送信５０２の画面に反映する。以上、述べたようにＭＦＰ１０１は、携帯端末装置１０２からの設定情報を受け付ける為の画面を制限する事で、他の画面で操作中にポップアップ４０２が表示される事を抑制する。
【００３０】
ここで、ＭＦＰ１０１にて設定される宛先制限の設定について説明する。宛先制限とはＭＦＰ１０１の設定項目の一つである。宛先制限が「オン」に設定された場合、画像データを送信する際の宛先の指定方法がＭＦＰ１０１に予め登録されているアドレス帳（あるいはワンタッチキーなど）から宛先を選択することに制限される。この場合、例えばユーザが宛先の文字列や数字をキー入力すること等によってアドレス帳に登録された宛先以外の宛先を指定することが禁止される。一方、宛先制限が「オフ」に設定された場合、宛先の指定方法の制限が無くなる。この場合、アドレス帳から宛先を選択すること以外の宛先指定が禁止されることは無い。宛先制限の設定はＭＦＰ１０１のユーザや管理者が操作部１１６を操作することでオン或いはオフに設定することができる。この設定はＲＡＭ１１３またはストレージ１１４に記憶される。
【００３１】
図６は、ＭＦＰ１０１が実行する設定制御処理を示すフローチャートである。ＭＦＰ１０１は、携帯端末装置１０２からの設定情報を受信し、図６に示す制御を行う。なお、図６のフローチャートが示す処理は、ＣＰＵ１１１がＲＯＭ１１２またはストレージ１１４に記憶された制御プログラムをＲＡＭ１１３に読み出して実行する。ＣＰＵ１１１は、通信部Ｉ／Ｆ１２５または、無線通信部Ｉ／Ｆ１２１からのデータ受信をネットワークパケットの受信部で監視している。
【００３２】
Ｓ６０１において、ＣＰＵ１１１は、ネットワーク１０８または無線１０６より携帯端末装置１０２から送信された設定情報を受信する。次に、Ｓ６０２において、ＣＰＵ１１１は、受信した設定情報が設定可能かを判定する。具体的には、ＣＰＵ１１１は、設定情報が電子メールアドレスの場合は、最大宛先数を超えているか、文字列長は設定可能範囲内なのかなどを判定する。また、電子メールの件名、本文設定の場合、正常な文字列データか、最大文字列長を超えていないか、などを判定する。
【００３３】
次に、Ｓ６０３において、ＣＰＵ１１１は、Ｓ６０１の判定結果に基づいて、設定情報を電子メール送信設定として設定可能か否かを判断する。ＣＰＵ１１１は、設定可能な場合には（Ｓ６０３でＹＥＳ）、処理をＳ６０４へ進める。ＣＰＵ１１１は、設定不可能な場合には（Ｓ６０３でＮＯ）、処理をＳ６１２へ進める。Ｓ６０４において、ＣＰＵ１１１は、宛先の設定が可能か否かを判定する。
【００３４】
図７は、宛先判定処理（Ｓ６０４）における詳細な処理を示すフローチャートである。
Ｓ７０１において、ＣＰＵ１１１は、受信した設定情報に宛先を指定する宛先情報が含まれているか否かを確認する。ＣＰＵ１１１は、宛先情報が含まれている場合には（Ｓ７０１でＹＥＳ）、処理をＳ７０２へ進める。ＣＰＵ１１１は、宛先情報が含まれていない場合には（Ｓ７０１でＮＯ）、処理をＳ７０５へ進める。Ｓ７０２において、ＣＰＵ１１１は、「宛先制限」がオンに設定されているか否かを確認する。ＣＰＵ１１１は、「宛先制限」がオンに設定されている場合には（Ｓ７０２でＹＥＳ）、処理をＳ７０３へ進める。ＣＰＵ１１１は、「宛先制限」がオフに設定されている場合には（Ｓ７０２でＮＯ）、処理をＳ７０５へ進める。Ｓ７０３において、ＣＰＵ１１１は、設定情報に含まれる宛先情報を削除する。
【００３５】
次に、Ｓ７０４において、ＣＰＵ１１１は、設定情報に宛先情報以外の情報が含まれているか否かを確認する。ＣＰＵ１１１は、宛先情報以外の情報が含まれている場合には（Ｓ７０４でＹＥＳ）、処理をＳ７０５へ進める。ＣＰＵ１１１は、宛先情報以外の情報が含まれていない場合には（Ｓ７０４でＮＯ）、処理をＳ７０６へ進める。Ｓ７０５において、ＣＰＵ１１１は、判定結果に設定可能を保存し処理を終了する。Ｓ７０６において、ＣＰＵ１１１は、判定結果に設定不可を保存し処理を終了する。
【００３６】
図６に戻り、Ｓ６０４の判定処理の後、Ｓ６０５において、ＣＰＵ１１１は、宛先の設定が可能な場合には（Ｓ６０５でＹＥＳ）、処理をＳ６０７へ進める。ＣＰＵ１１１は、宛先の設定が不可能な場合には（Ｓ６０５でＮＯ）、処理をＳ６０６へ進める。Ｓ６０６において、ＣＰＵ１１１は、設定処理結果に宛先制限ＮＧを設定し、その後処理をＳ６１３へ進める。
【００３７】
一方、Ｓ６０７においては、ＣＰＵ１１１は、ポップアップ４０２の表示を行い、ＯＫボタン４０３の押下を待つ。次に、Ｓ６０８において、ＣＰＵ１１１は、ＯＫボタン４０３が押下されると（Ｓ６０８でＹＥＳ）、処理をＳ６０９へ進める。Ｓ６０９において、ＣＰＵ１１１は、受信した設定情報をスキャンして送信画面４０４の設定または宛先に設定する。なお、Ｓ６０４において、宛先情報が削除されている場合には、設定情報のうち宛先情報以外の情報が設定されることになる。すなわち、ＣＰＵ１１１は、「宛先制限」がオンに設定されている場合には、宛先情報については設定を行わないよう制御し、宛先情報以外の情報について設定を行うよう制御する。また、ＣＰＵ１１１は、「宛先制限」がオフに設定されている場合には、設定情報が宛先情報を含むか否かに関わらず、設定情報の設定を行うように制御する。本処理は、設定処理の一例である。そして、ＣＰＵ１１１は、スキャンして送信画面４０４の表示を行う。
【００３８】
次に、Ｓ６１０において、ＣＰＵ１１１は、「宛先制限」がオンに設定されているか否かを確認する。ＣＰＵ１１１は、「宛先制限」がオンに設定されている場合には（Ｓ６１０でＹＥＳ）、処理をＳ６０６へ進める。ＣＰＵ１１１は、「宛先制限」がオフに設定されている場合には（Ｓ６１０でＮＯ）、処理をＳ６１１へ進める。Ｓ６１１において、ＣＰＵ１１１は、設定処理結果にＯＫを設定し、その後処理をＳ６１３へ進める。また、Ｓ６１２においては、ＣＰＵ１１１は、設定処理結果にＮＧを設定し、その後処理をＳ６１３へ進める。Ｓ６１３において、ＣＰＵ１１１は、携帯端末装置１０２に対して、設定処理結果を送信し、処理を終了する。
【００３９】
以上のように、第１の実施形態に係るＭＦＰ１０１は、「宛先制限」がオフに設定されている場合にのみ、宛先情報の設定を行い、「宛先制限」がオンに設定されている場合には宛先情報の設定を行わないよう制御する。これにより、ＭＦＰ１０１は、セキュリティの問題なく、外部装置から受信した宛先情報の設定を適切に制限することができる。
【００４０】
次に、ＭＦＰ１０１による「宛先制限」の設定変更に係る処理について説明する。図８は、ＭＦＰ１０１が実行する設定変更処理を示すフローチャートである。設定変更処理は、ＭＦＰ１０１の設定画面（図示省略）を介してユーザが「宛先制限」機能のキー（図示省略）を選択し、宛先制限の設定を変更したことに応じて開始される。
【００４１】
Ｓ８０１において、ＣＰＵ１１１は、ＭＦＰ１０１の「宛先制限」をオン設定に変更するか否かを判定する。ＣＰＵ１１１は、オン設定に変更する場合には（Ｓ８０１でＹＥＳ）、処理をＳ８０３へ進める。ＣＰＵ１１１は、オフ設定に変更する場合には（Ｓ８０１でＮＯ）、処理をＳ８０２へ進める。Ｓ８０２において、ＣＰＵ１１１は、「宛先制限」をオフ設定に変更し、処理を終了する。なお、「宛先制限」のオフ及びオンの設定は、ＭＦＰ１０１全体の動作設定の１項目としてＲＡＭ１１３又はストレージ１１４に記憶されるものとする。
【００４２】
一方、Ｓ８０３においては、ＣＰＵ１１１は、ＭＦＰ１０１が外部デバイスからの設定情報の受付を許可する状態にあるか否かを確認する。ＣＰＵ１１１は、外部デバイスからの設定情報の受付を許可している場合（Ｓ８０３でＹＥＳ）、処理をＳ８０５へ進める。ＣＰＵ１１１は、外部デバイスからの設定情報の受付を許可していない場合は（Ｓ８０３でＮＯ）、処理をＳ８０４へ進める。Ｓ８０４において、ＣＰＵ１１１は、「宛先制限」をオン設定に変更し、処理を終了する。
【００４３】
Ｓ８０５において、ＣＰＵ１１１は、警告画面を操作部１１６に表示させる。図９は、警告画面９００の一例を示す図である。警告画面９００は、ポップアップ画面であるものとする。すなわち、宛先制限がオン設定に変更されると、警告画面９００が表示される。ここで、警告画面９００は、携帯端末装置１０２から受信した宛先情報の設定が制限されることをユーザに通知するための画面である。Ｓ８０５の処理は、表示処理の一例である。ユーザは、ＯＫキー９０１を押下して、「宛先制限」の設定をオンに変更することができる。また、ユーザはキャンセルキー９０２を押下して「宛先制限」設定の変更をキャンセルする（即ち「宛先制限」設定をオンにせずオフのままとする）ことができる。
【００４４】
図８の説明に戻り、Ｓ８０５の処理の後、Ｓ８０６において、ＣＰＵ１１１は、ユーザ指示の判定を行う。ＣＰＵ１１１は、ＯＫキー９０１が押下された場合は、処理をＳ８０４へ進める。ＣＰＵ１１１は、キャンセルキー９０２が押下された場合は、設定変更を破棄し、その後処理を終了する。
【００４５】
以上のように、ＭＦＰ１０１は、「宛先制限」がオン設定に変更された場合に、宛先情報の設定が制限される旨をユーザに通知するための警告画面を表示することができる。さらに、警告画面において、オン設定をキャンセルすることもできる。これにより、ユーザの利便性を向上させることができる。
【００４６】
第１の実施形態に係る画像処理システム１００の変形例について説明する。例えば、ＭＦＰ１０１は、宛先制限がオンに設定された場合に、警告画面を表示することとしたがこれに限定されるものではない。例えば、ＭＦＰ１０１は、モバイル連携機能がＯＦＦからＯＮに変更される際に、宛先制限がオンに設定されている場合に、宛先制限状態であり、モバイルからの宛先の送信が制限される旨を示す警告画面を操作部１１６に表示してもよい。
【００４７】
（第２の実施形態）
次に、第２の実施形態に係る画像処理システム１００について説明する。携帯端末装置１０２から受信した宛先情報がＭＦＰ１０１のアドレス帳に登録されているアドレス（宛先情報）と同じ場合がある。このような場合に、本実施形態に係るＭＦＰ１０１は、「宛先制限」がオンに設定されている場合であっても、宛先情報の設定を行うよう制御する。以下、第２の実施形態に係る画像処理システム１００について、第１の実施形態に係る画像処理システム１００と異なる点について説明する。
【００４８】
図１０は、第２の実施形態に係る宛先判定処理（Ｓ６０４）における詳細な処理を示すフローチャートである。図７に示す第１の実施形態に係る宛先判定処理における各処理と同じ処理には同じ符号を付している。ＣＰＵ１１１は、Ｓ７０２において、「宛先制限」がオンに設定されている場合には（Ｓ７０２でＹＥＳ）、処理をＳ１００１へ進める。Ｓ１００１において、ＣＰＵ１１１は、設定情報に含まれる宛先情報に示される宛先と同じ宛先が既にＭＦＰ１０１のアドレス帳に登録（設定）されているか否かを確認する。ＣＰＵ１１１は、同じ宛先が登録済みの場合には（Ｓ１００１でＹＥＳ）、処理をＳ７０５へ進める。ＣＰＵ１１１は、同じ宛先が登録済みでない場合には（Ｓ１００１でＮＯ）、処理をＳ７０３へ進める。なお、第２の実施形態に係る画像処理システム１００のこれ以外の構成及び処理は、第１の実施形態に係る画像処理システム１００の構成及び処理と同様である。
【００４９】
以上の処理により、ＭＦＰ１０１は、「宛先制限」がオンに設定されている場合であっても、宛先情報がアドレス帳に登録済みの宛先と同じ場合には、宛先情報の設定を行うよう制御することができる。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１００  画像処理システム
１０１  ＭＦＰ
１０２  携帯端末装置
【図１】
2018061156.tif 000003
【図２】
2018061156.tif 000004
【図３】
2018061156.tif 000005
【図４】
2018061156.tif 000006
【図５】
2018061156.tif 000007
【図６】
2018061156.tif 000008
【図７】
2018061156.tif 000009
【図８】
2018061156.tif 000010
【図９】
2018061156.tif 000011
【図１０】
2018061156.tif 000012